【手続補正書】
【提出日】平成18年7月10日(2006.7.10)
【手続補正１】
【補正対象書類名】明細書
【補正対象項目名】発明の名称
【補正方法】変更
【補正の内容】
【発明の名称】処理装置、処理方法、処理システム及び廃棄物処理システム
【手続補正２】
【補正対象書類名】明細書
【補正対象項目名】特許請求の範囲
【補正方法】変更
【補正の内容】
【特許請求の範囲】
【請求項１】
樹脂と金属とを構成材として有する処理対象物体を処理する処理装置であって、前記処理対象物体の前記樹脂が選択的に熱分解するように温度と圧力とを調節する温度調節手段および圧力調節手段とを備えた第１の気密領域と、前記第１の気密領域と開閉可能な隔壁によって隔てられ、前記処理対象物体中の金属を選択的に気化するように温度と圧力とを調節する温度調節手段と圧力調節手段とを備えた第２の気密領域と、前記第１の気密領域に接続され、前記樹脂の熱分解により生じたガスを処理する第１の処理系と、前記第２の気密領域に接続され、前記処理対象物体から気化した金属を処理する第２の処理系とを具備したことを特徴とする処理装置。
【請求項２】
鉛を構成材として有する処理対象物体を処理する処理システムであって、前記処理対象物体を内部に保持する気密容器と、前記気密容器内の温度を調節する温度調節手段と、前記気密容器内の圧力を調節する圧力調節手段と、前記処理対象物体中の鉛が選択的に気化するように前記温度調節手段と前記圧力調節手段とを制御する制御手段と、前記気密容器に接続され、前記処理対象物体から気化した鉛を回収する回収手段とを具備したことを特徴とする処理システム。
【請求項３】
鉛と樹脂とを構成材として有する処理対象物体を処理する処理システムであって、前記処理対象物体を内部に保持する気密容器と、前記気密容器内の温度を調節する温度調節手段と、前記気密容器内の圧力を調節する圧力調節手段と、前記気密容器内の酸素濃度を調節する酸素濃度調節手段と、前記樹脂が選択的に熱分解するように前記温度調節手段と前記酸素濃度調節手段とを制御する第１の制御手段と、前記容器内の温度と圧力を前記処理対象物体中の鉛が選択的に気化するように前記温度調節手段と前記圧力調節手段とを制御する制御する第２の制御手段と、前記気密容器に接続され、前記樹脂の熱分解により生じたガスを回収する第１の回収手段と、前記気密容器に接続され、前記処理対象物体から気化した鉛を回収する第２の回収手段とを具備したことを特徴とする処理システム。
【請求項４】
気密容器内に鉛を構成材として有する処理対象物体を導入しこの気密容器を密閉する工程と、前記処理対象物体中の鉛が選択的に気化するように前記気密容器内の温度と圧力とを調節する工程と、前記処理対象物体から気化した鉛を回収する工程とを有することを特徴とする処理方法。
【請求項５】
鉛と樹脂とを構成材として有する処理対象物体を導入しこの気密容器を密閉する工程と、前記樹脂が選択的に熱分解するように前記気密容器内の温度と酸素濃度とを調節する第１の制御工程と、前記処理対象物体中の鉛が選択的に気化するように前記気密容器内の温度と圧力とを調節する第２の制御工程と、前記樹脂が熱分解して生じたガスを回収する第１の回収工程と、前記処理対象物体から気化した鉛を回収する第２の回収工程とを有することを特徴とする処理方法。
【請求項６】
金属で接合された第１の物体と第２の物体とを有する処理対象物体を処理する処理システムであって、前記処理対象物体を内部に保持する気密容器と、前記気密容器内の温度を調節する温度調節手段と、前記気密容器内の圧力を調節する圧力調節手段と、前記第１の物体と第２の物体とを接合する前記金属が気化するように、前記温度調節手段と前記圧力調節手段とを制御する制御手段とを具備したことを特徴とする処理システム。
【請求項７】
第１の金属と第２の金属とを有する合金で接合された、樹脂を構成材として有する第１の物体と第２の物体とを有する処理対象物体を処理する処理システムであって、内部に前記処理対象物体を保持する気密容器と、前記気密容器内の温度を調節する温度調節手段と、前記気密容器内の圧力を調節する圧力調節手段と、前記気密容器内の酸素濃度を調節する酸素濃度調節手段と、前記樹脂が選択的に熱分解するように前記温度調節手段と前記酸素濃度調節手段とを制御する第１の制御手段と、前記合金の第１の金属が選択的に気化するように前記温度調節手段と前記圧力調節手段とを制御する第２の制御手段と、前記合金の第２の金属が気化するように前記温度調節手段と前記圧力調節手段とを制御する第３の制御手段と、前記樹脂が熱分解して生じたガスを回収する第１の回収手段と、前記合金から気化した第１の金属を回収する第２の回収手段とを具備したことを特徴とする処理システム。
【請求項８】
金属で接合された第１の物体と第２の物体とを有する処理対象物体を処理する処理方法であって、前記処理対象物体を気密容器内に導入しこの気密容器を密閉する工程と、前記金属が気化するように前記気密容器内の温度と圧力とを調節する工程とを有することを特徴とする処理方法。
【請求項９】
第１の金属と第２の金属とを有する合金で接合された、樹脂を構成材として有する第１の物体と第２の物体とを有する処理対象物体を処理する処理方法であって、気密容器内に前記処理対象物体を導入しこの気密容器を密閉する工程と、前記樹脂が選択的に熱分解するように前記気密容器内の温度と酸素濃度とを調節する第１の制御工程と、前記合金中の第１の金属が選択的に気化するように前記気密容器内の温度と圧力とを調節する第２の制御工程と、前記合金の第２の金属が気化するように前記気密容器内の温度と圧力とを調節する第３の制御工程と、前記樹脂の熱分解により生じたガスを回収する第１の回収工程と、前記合金から気化した第１の金属を回収する第２の回収工程とを有することを特徴とする処理方法。
【請求項１０】
樹脂と金属とが一体化した処理対象物体を処理する処理システムであって、前記処理対象物体を内部に保持する気密容器と、前記気密容器内の温度を調節する温度調節手段と、前記気密容器内の圧力を調節する圧力調節手段と、前記樹脂が選択的に熱分解するように前記気密容器内の前記温度調節手段と前記圧力調節手段とを制御する制御手段と、具備したことを特徴とする処理システム。
【請求項１１】
樹脂と金属とが一体化した処理対象物体を処理する処理システムであって、前記処理対象物体を内部に保持する気密容器と、前記気密容器内の温度を調節する温度調節手段と、前記気密容器内の圧力を調節する圧力調節手段と、前記気密容器内の酸素濃度を調節する酸素濃度調節手段と、前記樹脂が選択的に熱分解するように前記気密容器内の前記温度調節手段と前記圧力調節手段と前記酸素濃度調節手段とを制御する制御手段とを具備したことを特徴とする処理システム。
【請求項１２】
気密容器内に樹脂と金属とが積層された処理対象物体を導入する工程と、前記樹脂が選択的に熱分解するように前記気密容器内の温度と酸素濃度とを調節する工程と、前記処理対象物体を金属が溶融するとともに表面積が小さくなるように前記気密容器内の温度と圧力とを調節する工程とを有することを特徴とする処理方法。
【請求項１３】
気密容器内に樹脂と第１の金属と第２の金属とが一体化した処理対象物体を導入する工程と、前記樹脂が選択的に熱分解するように前記気密容器内の温度と酸素濃度とを調節する第１の制御工程と、前記第１の金属が選択的に気化するように前記気密容器内の温度と圧力とを調節する第２の制御工程と、前記処理対象物体から気化した第１の金属を回収する工程とを有することを特徴とする処理方法。
【請求項１４】
樹脂と銅とが一体化した廃棄物を内部に保持する気密容器と、気密容器内の温度を調節する温度調節手段と、銅が実質的に酸化しないようにするとともに樹脂が選択的に熱分解するように気密容器内の温度を制御する制御手段とを具備したことを特徴とする廃棄物処理システム。
【請求項１５】
樹脂と銅とが一体化した廃棄物を内部に保持する気密容器と、気密容器内の温度を調節する温度調節手段と、気密容器内の酸素濃度を調節する酸素濃度調節手段と、銅が実質的に酸化しないように維持するとともに前記樹脂が選択的に熱分解するように前記気密容器内の温度と酸素濃度とを制御する制御手段とを具備したことを特徴とする廃棄物処理システム。
【請求項１６】
樹脂と金属とを含有する物体を第１の温度で熱分解する第１の熱分解手段と、前記熱分解手段に接続して配設され、前記物体から生じたガス状排出物をダイオキシンが分解するような第２の温度で改質する改質手段と、前記改質手段と接続して配設され、第２の温度で改質された前記ガス状排出物中のダイオキシン濃度の増加が抑制されるように、前記ガス状排出物を第３の温度まで冷却する冷却手段と、前記物体の熱分解により生じた残渣を、この残渣に含まれる金属が気化するように減圧下で加熱する減圧加熱手段と、前記残渣から気化した金属を凝縮する凝縮手段とを具備したことを特徴とする処理装置。
【請求項１７】
樹脂と金属とを含有する物体を第１の温度で熱分解する第１の熱分解手段と、前記熱分解手段に接続して配設され、前記物体から生じたガス状排出物を第１の温度より高い第２の温度で熱分解する第２の熱分解手段と、前記熱分解手段と接続して配設され、第２の温度で熱分解された前記ガス状排出物中のダイオキシン濃度の増加が抑制されるように、前記ガス状排出物を第３の温度まで冷却する冷却手段と、前記物体の熱分解により生じた残渣を、この残渣に含まれる金属が気化するように減圧下で加熱する減圧加熱手段と、前記残渣から気化した金属を凝縮する凝縮手段とを具備したことを特徴とする処理装置。
【請求項１８】
樹脂と金属とを含有する物体を第１の温度で熱分解する第１の熱分解工程と、前記物体から生じたガス状排出物をダイオキシンが分解するような第２の温度で改質する改質工程と、改質された前記ガス状排出物中のダイオキシン濃度の増加が抑制されるように前記ガス状排出物を第３の温度まで冷却する冷却工程と、前記物体の熱分解により生じた残渣を、この残渣に含まれる金属が気化するように減圧下で加熱する減圧加熱工程と、前記残渣から気化した金属を凝縮する凝縮工程とを具備したことを特徴とする処理方法。
【請求項１９】
樹脂と金属とを含有する物体を第１の温度で熱分解する第１の熱分解工程と、前記物体から生じたガス状排出物を第１の温度より高い第２の温度で熱分解する第２の熱分解工程と、第２の温度で熱分解された前記ガス状排出物中のダイオキシン濃度の増加が抑制されるように、前記ガス状排出物を第３の温度まで冷却する冷却工程と、前記物体の熱分解により生じた残渣を、この残渣に含まれる金属が気化するように減圧下で加熱する減圧加熱手段と、前記残渣から気化した金属を凝縮する凝縮手段とを具備したことを特徴とする処理方法。
【請求項２０】
樹脂と第１の金属と第２の金属を含有する物体を第１の温度で熱分解する第１の熱分解工程と、前記物体から生じたガス状排出物をダイオキシンが分解するような第２の温度で改質する改質工程と、第２の温度で改質された前記ガス状排出物中のダイオキシン濃度の増加が抑制されるように、前記ガス状排出物を第３の温度まで冷却する冷却手段と、前記物体の熱分解により生じた残渣を、この残渣に含まれる第１の金属が気化するとともに第２の金属が保持されるように減圧下で加熱する第１の減圧加熱工程と、前記残渣から気化した第１の金属を凝縮する凝縮工程と、第１の金属を気化させた前記残渣に含まれる第２の金属が溶融するように減圧下で加熱する第２の減圧加熱工程とを具備したことを特徴とする処理方法。
【請求項２１】
樹脂と金属を構成材の一部として有し、接合金属で接合された第１の部分と第２の部分とを有する物体前記接合金属を保持して熱分解する熱分解工程と、前記物体から生じたガス状排出物をダイオキシンが分解するような第２の温度で改質する改質工程と、改質された前記ガス状排出物中のダイオキシン濃度の増加が抑制されるように、前記ガス状排出物を第３の温度まで冷却する冷却工程と、前記物体の熱分解により生じた残渣を、前記接合金属が気化するように減圧下で加熱する減圧加熱工程とを具備したことを特徴とする処理方法。